(57)【要約】【課題】本発明は、駆動時に発生する残像及び誤放電を防止して、コントラスト特性の低下を防止するプラズマディスプレイ装置を提供するためのものである。【解決手段】本発明の一実施形態に係るプラズマディスプレイ装置の複数のサブフィールドのうち、第１サブフィールドのリセット期間に上りランプパルスと下りランプパルスを含む第１リセットパルスをスキャン電極に印加するステップと、前記第１サブフィールドを除外した他のサブフィールドのうち、ターンオフされたサブフィールドの次のターンオンされたサブフィールドのリセット期間に上りランプパルスと下りランプパルスを含む第２リセットパルスを前記スキャン電極に印加するステップと、前記第１リセットパルスと前記第２リセットパルスが印加されるサブフィールドを除外した他のサブフィールドのリセット期間に下りランプパルスのみを含む第３リセットパルスを前記スキャン電極に印加するステップと、を含む。【選択図】図１
2008197293.tif 000002
【特許請求の範囲】
【請求項１】
１つのフレームを複数のサブフィールドに時分割して画像を表示するプラズマディスプレイ装置の駆動方法であって、
前記複数のサブフィールドのうち、第１サブフィールドのリセット期間に上りランプパルスと下りランプパルスを含む第１リセットパルスをスキャン電極に印加するステップと、
前記第１サブフィールドを除外した他のサブフィールドのうち、ターンオフされたサブフィールドの次のターンオンされたサブフィールドのリセット期間に上りランプパルスと下りランプパルスを含む第２リセットパルスを前記スキャン電極に印加するステップと、
前記第１リセットパルスと前記第２リセットパルスが印加されるサブフィールドを除外した他のサブフィールドのリセット期間に下りランプパルスのみを含む第３リセットパルスを前記スキャン電極に印加するステップと、
を含むプラズマディスプレイ装置の駆動方法。 
【請求項２】
前記第１サブフィールドのリセット期間前に第１プリリセットパルスを前記スキャン電極に印加して、前記第１プリリセットパルスに対応して逆極性の第２プリリセットパルスをサステイン電極に印加するステップを更に含むことを特徴とする請求項１記載のプラズマディスプレイ装置の駆動方法。      
【請求項３】
前記第１サブフィールドは、最も階調加重値の低いサブフィールドであることを特徴とする請求項２記載のプラズマディスプレイ装置の駆動方法。 
【請求項４】
前記第２リセットパルスが印加されるサブフィールドは、階調加重値の低い順から高い順に５番目のサブフィールド以後であることを特徴とする請求項２記載のプラズマディスプレイ装置の駆動方法。 
【請求項５】
前記第２リセットパルスの上りランプパルスのピーク電圧は、前記第１リセットパルスの上りランプパルスのピーク電圧より低いことを特徴とする請求項２記載のプラズマディスプレイ装置の駆動方法。 
【請求項６】
前記第１プリリセットパルスは負極性であることを特徴とする請求項２記載のプラズマディスプレイ装置の駆動方法。 
【請求項７】
前記第１プリリセットパルスは徐々に下降する下りランプパルスであることを特徴とする請求項６記載のプラズマディスプレイ装置の駆動方法。 
【請求項８】
前記第３リセットパルスの下りランプパルスは、一定バイアス電圧から下降することを特徴とする請求項２記載のプラズマディスプレイ装置の駆動方法。 
【請求項９】
前記一定バイアス電圧は、サステイン電圧と実質的に同一であることを特徴とする請求項８記載のプラズマディスプレイ装置の駆動方法。 
【請求項１０】
複数のフレームが画像を表示するプラズマディスプレイ装置の駆動方法であって、
前記複数のフレームのうち、第１フレームのリセット期間に上りランプパルスと下りランプパルスを含む第１リセットパルスをスキャン電極に印加するステップと、
前記第１フレームと連続された第２フレームの全てのリセット期間に下りランプパルスのみを含む第２リセットパルスを前記スキャン電極に印加するステップと、
を含むことを特徴とするプラズマディスプレイ装置の駆動方法。        
【請求項１１】
前記第２リセットパルスの下りランプパルスは、一定バイアス電圧から下降することを特徴とする請求項１０記載のプラズマディスプレイ装置の駆動方法。 
【請求項１２】
前記一定バイアス電圧は、サステイン電圧と実質的に同一であることを特徴とする請求項１１記載のプラズマディスプレイ装置の駆動方法。 
【請求項１３】
前記第２フレームと連続された第３フレームの一番目のサブフィールドのリセット区間に第３リセットパルスと第４リセットパルスを前記スキャン電極に印加するステップを更に含むことを特徴とする請求項１０記載のプラズマディスプレイ装置の駆動方法。 
【請求項１４】
前記第３リセットパルスと前記第４リセットパルスは、上りランプパルスを含むことを特徴とする請求項１３記載のプラズマディスプレイ装置の駆動方法。 
【請求項１５】
前記第３リセットパルスのピーク電圧は、前記第４リセットパルスのピーク電圧より大きいことを特徴とする請求項１４記載のプラズマディスプレイ装置の駆動方法。 
【請求項１６】
前記第３リセットパルスのピーク電圧と前記第４リセットパルスのピーク電圧との差は１００Ｖ以下であることを特徴とする請求項１５記載のプラズマディスプレイ装置の駆動方法。 
【請求項１７】
前記第３リセットパルスは矩形波を含み、前記第４リセットパルスは上りランプパルスを含むことを特徴とする請求項１３記載のプラズマディスプレイ装置の駆動方法。 
【請求項１８】
前記第３リセットパルスの矩形波が印加される期間は、前記第４リセットパルスの上りランプパルスが印加される期間より更に短いことを特徴とする請求項１７記載のプラズマディスプレイ装置の駆動方法。 
【請求項１９】
複数のフレームが画像を表示するプラズマディスプレイ装置の駆動方法であって、
前記複数のフレームのうち、第１フレームのリセット期間に上りランプパルスと下りランプパルスを含む第１リセットパルスをスキャン電極に印加するステップと、
前記第１フレームと連続された第２フレームの全てのリセット期間に上りランプパルスを少なくとも２個以上含む第２リセットパルスを前記スキャン電極に印加するステップと、を含み、
前記第２リセットパルスのうち、１つの上りランプパルスが印加される期間は前記第１リセットパルスの上りランプパルスが印加される期間より短いことを特徴とするプラズマディスプレイ装置の駆動方法。 
【請求項２０】
前記第２リセットパルスの上りランプパルスの数は、各サブフィールド毎に２個乃至３個であることを特徴とする請求項１９記載のプラズマディスプレイ装置の駆動方法。 
【請求項２１】
前記第２フレームと連続された第３フレームの一番目のサブフィールドのリセット区間に第３リセットパルスと第４リセットパルスを前記スキャン電極に印加するステップを更に含むことを特徴とする請求項１９記載のプラズマディスプレイ装置の駆動方法。 
【請求項２２】
前記第３リセットパルスと前記第４リセットパルスは、上りランプパルスを含むことを特徴とする請求項２１記載のプラズマディスプレイ装置の駆動方法。 
【請求項２３】
前記第３リセットパルスのピーク電圧は、前記第４リセットパルスのピーク電圧より大きいことを特徴とする請求項２２記載のプラズマディスプレイ装置の駆動方法。 
【請求項２４】
前記第３リセットパルスのピーク電圧と前記第４リセットパルスのピーク電圧との差は１００Ｖ以下であることを特徴とする請求項２３記載のプラズマディスプレイ装置の駆動方法。 
【請求項２５】
前記第３リセットパルスは矩形波を含み、前記第４リセットパルスは上りランプパルスを含むことを特徴とする請求項２１記載のプラズマディスプレイ装置の駆動方法。 
【請求項２６】
前記第３リセットパルスの矩形波が印加される期間は、前記第４リセットパルスの上りランプパルスが印加される期間より更に短いことを特徴とする請求項２５記載のプラズマディスプレイ装置の駆動方法。 
【請求項２７】
複数のフレームが画像を表示するプラズマディスプレイ装置の駆動方法であって、
前記複数のフレームのうち、第１フレームのリセット期間に上りランプパルスと下りランプパルスを含む第１リセットパルスをスキャン電極に印加するステップと、
前記第１フレームと連続された第２フレームのうち、少なくともいずれか１つのサブフィールドのリセット期間に、前記第１リセットパルスの代わりに下りランプパルスのみを含む第２リセットパルスを前記スキャン電極に印加するステップと、を含み、
前記第２リセットパルスの数はフレーム転換時毎に増加することを特徴とするプラズマディスプレイ装置の駆動方法。  
【請求項２８】
前記第２リセットパルスの数はフレーム転換時毎に１つずつ増加することを特徴とする請求項２７記載のプラズマディスプレイ装置の駆動方法。  
【請求項２９】
前記第２リセットパルスは、最も階調加重値の高いサブフィールドから前記スキャン電極に印加されることを特徴とする請求項２８記載のプラズマディスプレイ装置の駆動方法。
【請求項３０】
１つのフレーム内で前記第１リセットパルスが印加されるサブフィールドの数は１つ以上であることを特徴とする請求項２９記載のプラズマディスプレイ装置の駆動方法。  
【請求項３１】
前記第２リセットパルスの下りランプパルスは、一定バイアス電圧から下降することを特徴とする請求項２７記載のプラズマディスプレイ装置の駆動方法。  
【請求項３２】
前記一定バイアス電圧は、サステイン電圧と実質的に同一であることを特徴とする請求項３１記載のプラズマディスプレイ装置の駆動方法。
【発明の詳細な説明】
【技術分野】
【０００１】
本発明は、ディスプレイ装置に関し、より詳しくは、プラズマディスプレイ装置の駆動方法に関する。
【背景技術】
【０００２】
一般に、ディスプレイ装置のうち、プラズマディスプレイ装置は、プラズマディスプレイパネルとプラズマディスプレイパネルを駆動するための駆動部とを含む。 
【０００３】
一般に、プラズマディスプレイパネルは、前面パネルと後面パネルとの間に形成された隔壁が１つの放電セルをなすものであって、各放電セル内にはネオン（Ｎｅ）、ヘリウム（Ｈｅ）またはネオン及びヘリウムの混合気体（Ｎｅ＋Ｈｅ）のような主放電気体と少量のキセノン（Ｘｅ）を含有する不活性ガスが充填されている。 
【０００４】
このような放電セルが複数個が集まって１つのピクセル（Pixel）をなす。 例えば、赤色（Red、Ｒ）放電セル、緑色（Green、Ｇ）放電セル、青色（Blue、Ｂ）放電セルが集まって１つのピクセルをなすものである。
【０００５】
そして、このようなプラズマディスプレイパネルは、高周波電圧により放電される際、不活性ガスは真空紫外線（Vacuum Ultraviolet rays）を発生し、隔壁の間に形成された蛍光体を発光させて画像が具現される。 このようなプラズマディスプレイパネルは、軽量薄型の構成が可能であるので、次世代の表示装置として脚光を浴びている。 
【０００６】
一方、リセット期間にスキャン電極に供給される上りランプパルスの場合、高電圧パルスとして上りランプパルスにより発生する放電によって生成される光量が相対的に多くなる。 
【０００７】
したがって、プラズマディスプレイパネルの全ての放電セルをオフ（Off）させた状態での輝度、即ち、ブラック（Black）輝度が相対的に大きくなってコントラスト（Contrast）特性が悪化して、残像が発生する問題点があった。
【０００８】
このような問題点を防止するために、１つのフレームのうち、１つのサブフィールドでのみ上りランプパルスを供給する方法が提示されてコントラスト特性が一定部分改善できたが、特定の階調で誤放電が発生する問題点が発生することになった。 
【発明の開示】
【発明が解決しようとする課題】
【０００９】
本発明は、プラズマディスプレイ装置の駆動時に発生する残像及び誤放電を防止して、コントラスト特性の低下を防止することをその目的とする。
【課題を解決するための手段】
【００１０】
本発明の一実施形態に係るプラズマディスプレイ装置の駆動方法は、複数のサブフィールドのうち、第１サブフィールドのリセット期間に上りランプパルスと下りランプパルスを含む第１リセットパルスをスキャン電極に印加するステップと、前記第１サブフィールドを除外した他のサブフィールドのうち、ターンオフされたサブフィールドの次のターンオンされたサブフィールドのリセット期間に上りランプパルスと下りランプパルスを含む第２リセットパルスを前記スキャン電極に印加するステップと、前記第１リセットパルスと前記第２リセットパルスが印加されるサブフィールドを除外した他のサブフィールドのリセット期間に下りランプパルスのみを含む第３リセットパルスを前記スキャン電極に印加するステップと、を含む。
【００１１】
前記第１サブフィールドのリセット期間前に第１プリリセットパルスを前記スキャン電極に印加して、前記第１プリリセットパルスに対応して逆極性の第２プリリセットパルスをサステイン電極に印加するステップを更に含むことができる。
【００１２】
前記第１サブフィールドは、最も階調加重値の低いサブフィールドであることができる。
【００１３】
前記第２リセットパルスが印加されるサブフィールドは、階調加重値の低い順から高い順に５番目のサブフィールド以後であることができる。
【００１４】
前記第２リセットパルスの上りランプパルスのピーク電圧は、前記第１リセットパルスの上りランプパルスのピーク電圧より低いことができる。
【００１５】
前記第１プリリセットパルスは負極性であることができる。
【００１６】
前記第１プリリセットパルスが、徐々に下降する下りランプパルスであることができる。
【００１７】
前記第３リセットパルスの下りランプパルスは、一定バイアス電圧から下降することができる。
【００１８】
前記一定バイアス電圧は、サステイン電圧と実質的に同一であることができる。
【００１９】
本発明の他の一実施形態に係るプラズマディスプレイ装置の駆動方法は、複数のフレームのうち、第１フレームのリセット期間に上りランプパルスと下りランプパルスを含む第１リセットパルスをスキャン電極に印加するステップと、前記第１フレームと連続された第２フレームの全てのリセット期間に下りランプパルスのみを含む第２リセットパルスを前記スキャン電極に印加するステップと、を含む。
【００２０】
前記第２リセットパルスの下りランプパルスは、一定バイアス電圧から下降することができる。
【００２１】
前記一定バイアス電圧は、サステイン電圧と実質的に同一であることができる。
【００２２】
前記第２フレームと連続された第３フレームの一番目のサブフィールドのリセット区間に第３リセットパルスと第４リセットパルスを前記スキャン電極に印加するステップを更に含むことができる。
【００２３】
前記第３リセットパルスと前記第４リセットパルスは、上りランプパルスを含むことができる。
【００２４】
前記第３リセットパルスのピーク電圧は、前記第４リセットパルスのピーク電圧より大きいことができる。
【００２５】
前記第３リセットパルスのピーク電圧と前記第４リセットパルスのピーク電圧との差は１００Ｖ以下であることができる。
【００２６】
前記第３リセットパルスは矩形波を含み、前記第４リセットパルスは上りランプパルスを含むことができる。
【００２７】
前記第３リセットパルスの矩形波が印加される期間は、前記第４リセットパルスの上りランプパルスが印加される期間より更に短いことができる。
【００２８】
本発明の更に他の一実施形態に係るプラズマディスプレイ装置の駆動方法は、複数のフレームのうち、第１フレームのリセット期間に上りランプパルスと下りランプパルスを含む第１リセットパルスをスキャン電極に印加するステップと、前記第１フレームと連続された第２フレームの全てのリセット期間に上りランプパルスを少なくとも２個以上含む第２リセットパルスを前記スキャン電極に印加するステップと、を含み、前記第２リセットパルスのうち、１つの上りランプパルスが印加される期間は前記第１リセットパルスの上りランプパルスが印加される期間より短いことができる。
【００２９】
前記第２リセットパルスの上りランプパルスの数は、各サブフィールド毎に２個乃至３個であることができる。
【００３０】
前記第２フレームと連続された第３フレームの一番目のサブフィールドのリセット区間に第３リセットパルスと第４リセットパルスを前記スキャン電極に印加するステップを更に含むことができる。
【００３１】
前記第３リセットパルスと前記第４リセットパルスは、上りランプパルスを含むことができる。
【００３２】
前記第３リセットパルスのピーク電圧は、前記第４リセットパルスのピーク電圧より大きいことができる。
【００３３】
前記第３リセットパルスのピーク電圧と前記第４リセットパルスのピーク電圧との差は１００Ｖ以下であることができる。
【００３４】
前記第３リセットパルスは矩形波を含み、前記第４リセットパルスは上りランプパルスを含むことができる。
【００３５】
前記第３リセットパルスの矩形波が印加される期間は、前記第４リセットパルスの上りランプパルスが印加される期間より更に短いことができる。
【００３６】
本発明の更に他の一実施形態に係るプラズマディスプレイ装置の駆動方法は、複数のフレームのうち、第１フレームのリセット期間に上りランプパルスと下りランプパルスを含む第１リセットパルスをスキャン電極に印加するステップと、前記第１フレームと連続された第２フレームのうち、少なくともいずれか１つのサブフィールドのリセット期間に、前記第１リセットパルスの代わりに下りランプパルスのみを含む第２リセットパルスを前記スキャン電極に印加するステップと、を含み、前記第２リセットパルスの数はフレーム転換時毎に増加することができる。
【００３７】
前記第２リセットパルスの数はフレーム転換時毎に１つずつ増加することができる。
【００３８】
前記第２リセットパルスは、最も階調加重値の高いサブフィールドから前記スキャン電極に印加されることができる。
【００３９】
１つのフレーム内で前記第１リセットパルスが印加されるサブフィールドの数は１つ以上であることができる。
【００４０】
前記第２リセットパルスの下りランプパルスは、一定バイアス電圧から下降することができる。
【００４１】
前記一定バイアス電圧は、サステイン電圧と実質的に同一であることができる。
【発明の効果】
【００４２】
本発明によれば、駆動時に発生する残像及び誤放電を防止して、コントラスト特性が向上したプラズマディスプレイ装置が得られる。
【発明を実施するための最良の形態】
【００４３】
以下、本発明の一実施形態に係る具体的な実施形態を添付した図面を参照しつつ説明する。
【００４４】
図１は、本発明の一実施形態に係るプラズマディスプレイパネルを示す図である。
【００４５】
図１を参照すれば、プラズマディスプレイパネルは、画像がディスプレイされる表示面である前面基板１０１にスキャン電極１０２とサステイン電極１０３が対をなして形成された複数の維持電極対が配列された前面パネル１００と、背面をなす後面基板１１１の上に前述した複数の維持電極対と交叉されるように複数のアドレス電極１１３が配列された後面パネル１１０とが一定距離を置いて平行するように結合される。
【００４６】
前面パネル１００は、１つの放電セルで相互放電させて、セルの発光を維持するためのスキャン電極１０２及びサステイン電極１０３、即ち、透明なＩＴＯ物質で形成された透明電極（ａ）と金属材質で製作されたバス電極（ｂ）で備えられたスキャン電極１０２及びサステイン電極１０３が対をなして含まれる。 
【００４７】
スキャン電極１０２及びサステイン電極１０３は、放電電流を制限して、電極対間を絶縁させる１つ以上の上部誘電体層１０４により覆われて、上部誘電体層１０４の上面には放電条件を容易にするために酸化マグネシウム（ＭｇＯ）を蒸着した保護層１０５が形成される。
【００４８】
後面パネル１１０は、複数個の放電空間、即ち、放電セルを形成させるためのストライプタイプ（または、ウェルタイプ）の隔壁１１２が平行を維持して配列される。 また、アドレス放電を遂行して放電セル内の不活性ガスが真空紫外線を発生させるようにする多数のアドレス電極１１３が隔壁１１２に対して平行するように配置される。 
【００４９】
後面パネル１１０の上側面にはサステイン放電時に画像表示のために可視光線を放出する赤色（Ｒ）、緑色（Ｇ）、青色（Ｂ）蛍光体１１４が塗布される。 アドレス電極１１３と蛍光体１１４との間にはアドレス電極１１３を保護するための下部誘電体層１１５が形成される。
【００５０】
このような構造のプラズマディスプレイパネルは、放電セルがマトリックス（Matrix）構造で複数個が形成されて、放電セルに所定のパルスを供給するための駆動回路を含む駆動部が取付けられて駆動される。
【００５１】
このような構造を有する従来のプラズマディスプレイパネルの画像階調を表現する方法を説明すれば、次の図２の通りである。
【００５２】
図２は、本発明の一実施形態に係るプラズマディスプレイ装置の画像階調を表現する方法を示す図である。
【００５３】
図２を参照すれば、プラズマディスプレイパネルの画像階調は、１つのフレームを発光回数の異なる多数のサブフィールドに分けて駆動している。 各サブフィールドは、放電を均一に発生させるためのリセット区間、放電セルを選択するためのアドレス区間、及び放電回数によって階調を具現するサステイン区間に分けられる。 
【００５４】
例えば、２５６階調で画像を表示しようとする場合に、１／６０秒に該当するフレーム区間（１６．６７ｍｓ）は、８個のサブフィールドに分けられる。 併せて、８個のサブフィールドの各々は、リセット区間、アドレス区間、及びサステイン区間に分けられる。
【００５５】
ここで、各サブフィールドのリセット区間及びアドレス区間は各サブフィールド毎に同一である一方、サステイン区間は各サブフィールドで２ｎ（ｎ＝０、１、２、３、４、５、６、７）の割合で増加する。 ここで、１つのフレーム区間を８個のサブフィールドに分けて説明したが、これに限られず、１つのフレーム区間を１０個乃至１２個のサブフィールドに分けることができる。 
【００５６】
このようなプラズマディスプレイパネルを駆動する駆動装置を説明すれば、次の通りである。 
【００５７】
図３は、本発明の一実施形態に係るプラズマディスプレイ装置を示す図である。
【００５８】
図３を参照すれば、本発明の一実施形態に係るプラズマディスプレイ装置は、スキャン電極を含むパネル３００、タイミングコントローラ３０１、データ駆動部３０２、スキャン駆動部３０３、サステイン駆動部３０４、及びサブフィールドマッピング部３０５を含む。  
【００５９】
タイミングコントローラ３０１は、垂直及び水平同期信号と所定のクロック信号を入力受けて、各駆動部３０２、３０３、３０４を制御するためのタイミング制御信号（ＣＴＲＸ、ＣＴＲＹ、ＣＴＲＺ）を発生し、そのタイミング制御信号（ＣＴＲＸ、ＣＴＲＹ、ＣＴＲＺ）を該当する各駆動部３０２、３０３、３０４に供給する。
【００６０】
このようにすることで、各駆動部３０２、３０３、３０４の動作を制御する。 また、タイミングコントローラ９３１はスキャン駆動部３０３を制御し、複数のサブフィールドのうち、一部のサブフィールドに下りランプパルスのみを含むリセットパルスをスキャン電極に供給する。 このように作動することによって、放電の不安定化による誤放電が防止できるが、これに対する詳細は後述する。 
【００６１】
データ駆動部３０２は、前述したタイミングコントローラ３０１からのタイミング制御信号（ＣＴＲＸ）に応答してデータパルスをサンプリングしラッチした後、そのデータパルスをアドレス電極（Ｘ１〜Ｘｍ）に供給することになる。
【００６２】
スキャン駆動部３０３は、タイミングコントローラ３０１の制御によってリセット期間の間、スキャン電極（Ｙ１〜Ｙｎ）に印加されるリセットパルスを調節する。
【００６３】
また、タイミングコントローラ３０１の制御によってアドレス期間の間スキャン電圧（−Ｖｙ）のスキャンパルス（Ｓｐ）をスキャン電極（Ｙ１〜Ｙｎ）に順次に供給する。
【００６４】
サステイン駆動部３０４は、タイミングコントローラ３０１の制御によってリセット期間のセットダウン期間とアドレス期間の間サステイン電圧（Ｖｓ）のバイアス電圧をサステイン電極（Ｚ）に供給し、サステイン期間の間スキャン駆動部３０３と交互に動作してサステインパルス（ＳＵＳ）をサステイン電極（Ｚ）に供給することになる。
【００６５】
また、サステイン駆動部３０４は、１つのサブフィールドで最後のサステイン放電が終わると、消去ランプ波型（Ｖ（ramp-ers））をサステイン電極（Ｚ）に供給する。
【００６６】
サブフィールドマッピング部３０５は、所定の映像処理過程を通じて映像処理された映像データをサブフィールドにマッピングして出力する。 
【００６７】
例えば、外部の所定の信号処理手段（図示せず）、例えばＶＳＣ（Video Signal Controller）チップ（図示せず）から入力される映像データをモーション（Motion）処理、ＡＰＬ（Average Power Level）処理、ハーフトーン（Half Tone）補正処理等の過程を通じて映像処理した後、サブフィールド毎にマッピングしてサブフィールドマッピングデータを生成して、このようなサブフィールドマッピングデータを出力する。 
【００６８】
図４は、本発明の第１実施形態に係るプラズマディスプレイ装置の駆動方法を示す図である。
【００６９】
図４を参照すれば、本発明の第１実施形態に係るプラズマディスプレイ装置の駆動方法は多数個のフレームに画像を表現して、各フレームは発光回数の異なる多数のサブフィールドに分けられている。例えば、各フレームは発光回数の異なる１０個または１２個のサブフィールドから構成されるようにしてもよい。 
【００７０】
また、プラズマディスプレイ装置の駆動方法は、全画面を初期化させるためのリセット区間、放電するセルを選択するためのアドレス区間、選択されたセルの放電を維持させるためのサステイン区間、及び放電されたセル内の壁電荷を消去するための消去区間に分けられて駆動される。 
【００７１】
ここで、本発明の第１実施形態に係るプラズマディスプレイ装置の駆動方法は、最も階調加重値の低いサブフィールド、例えば、一番目のサブフィールド（ＳＦ１）のリセット区間に上りランプパルスと下りランプパルスを含む第１リセットパルス（ＲＰ１）をスキャン電極に印加し、第１サブフィールド（ＳＦ１）を除外した他のサブフィールドには下りランプパルスのみを含む第３リセットパルス（ＲＰ３）を印加する。 
【００７２】
ここで、第３リセットパルス（ＲＰ３）の下りランプパルスは、一定のバイアス電圧であるサステイン電圧（Ｖｓ）を維持してから下降するパルスである。 このように、高電圧パルスである上りランプパルスを少なくすることによって、コントラスト特性を改善させることができる。 
【００７３】
また、１つのフレーム内で供給される上りランプパルスが一回供給される場合、特定の階調で誤放電が発生できる問題点を改善するために、ターンオフされたサブフィールドの直ぐ次のターンオンされたサブフィールドのリセット期間に上りランプパルスと下りランプパルスを含む第２リセットパルス（ＲＰ２）をスキャン電極に印加して特定の階調での誤放電を防止することができる。 
【００７４】
例えば、フレーム内の全てのサブフィールドがターンオンされた場合であれば、比較的階調加重値の低いサブフィールドでターンオンされたサブフィールド（ＳＦ３）が不安定であるとしても、その以後の全てのサブフィールドが全てターンオンされているので、多くのサステインパルスの放電により、放電を安定させることができる。 
【００７５】
しかしながら、図４に示すように、階調加重値の低いサブフィールド（ＳＦ１〜ＳＦ５）のうち、３個のサブフィールド（ＳＦ１、ＳＦ２、ＳＦ３）がターンオンされ、その次に５番目のサブフィールド（ＳＦ５）がターンオンされれば、ターンオンされた３番目のサブフィールド（ＳＦ３）の後にサステインパルスの数が十分でないので、放電が安定化できず、ターンオンされた５番目のサブフィールド（ＳＦ５）で誤放電が発生することになる。 
【００７６】
このような問題点を解決するために、放電が不安定なサブフィールド（ＳＦ３）の直ぐ次に来るターンオンされたサブフィールド（ＳＦ５）に上りランプパルスを含む第２リセットパルス（ＲＰ２）を印加することで、誤放電の発生を防止する。 
【００７７】
図４では、１、２、３、５番目のサブフィールド（ＳＦ１、ＳＦ２、ＳＦ３、ＳＦ５）がターンオンされたが、これは、本発明の説明のための一例あって、これに限定されない。
【００７８】
即ち、１番目のサブフィールド（ＳＦ１）がターンオンされ、その以後の５番目のサブフィールド（ＳＦ５）でまたターンオンされると仮定する際、２、３、４番目のサブフィールド（ＳＦ２、ＳＦ３、ＳＦ４）のリセット区間で下りランプパルスのみを含む第３リセットパルス（ＲＰ３）が印加されたので、５番目のサブフィールド（ＳＦ５）では誤放電が発生する確率が高まる。 
【００７９】
したがって、５番目のサブフィールド（ＳＦ５）では、２、３、４番目のサブフィールド（ＳＦ２、ＳＦ３、ＳＦ４）のリセット区間に印加される第３リセットパルス（ＲＰ３）とは異なる上りランプパルスを含む第２リセットパルス（ＲＰ２）を印加することで、誤放電の発生を防止することができる。 
【００８０】
また、第３リセットパルス（ＲＰ３）が印加されるサブフィールドは低階調のサブフィールドであることができ、低階調のサブフィールドは階調加重値の低い順から高い順への５番目のサブフィールド以内であることが好ましい。 
【００８１】
また、第２リセットパルス（ＲＰ３）が印加されるサブフィールドは、階調加重値の低い順から高い順における５番目のサブフィールド以後（ＳＦ５〜ＳＦ１２）であることが好ましい。 
【００８２】
これは、最も階調加重値の低いサブフィールド（ＳＦ１）のみに上りランプパルスを含む第１リセットパルス（ＲＰ１）を印加し、階調加重値の低い順から高い順に５番目のサブフィールド以内（ＳＦ１〜ＳＦ５）には下りランプパルスのみを含む第３リセットパルス（ＲＰ３）を印加すれば、これによる放電の不安定により誤放電が発生する確率が高まるため、この誤放電を避ける目的で、階調加重値の低い順から高い順で５番目のサブフィールド以後（ＳＦ５〜ＳＦ１２）に第２リセットパルス（ＲＰ２）を印加するようにしたものである。 
【００８３】
このようにすることで、１つのフレーム内で供給される上りランプパルスの個数をかなり少なくすることができ、コントラスト特性を改善しながら特定階調での誤放電を防止することができる。 
【００８４】
図５は、本発明の第２実施形態に係るプラズマディスプレイ装置の駆動方法を示す図である。
【００８５】
図５に示すように、本実施形態では、複数のサブフィールドのうち、ターンオフされたサブフィールド（ＳＦ４）の後に連続されてターンオンされたサブフィールド（ＳＦ５）のリセット期間に印加される第２リセットパルス（ＲＰ２）における上りランプパルスのピーク電圧（Ｖｐｅａｋ２）を、最も階調加重値の低いサブフィールド（ＳＦ１）のリセット期間に印加される第１リセットパルス（ＲＰ１）における上りランプパルスのピーク電圧（Ｖｐｅａｋ１）より低くなるようにしている。 
【００８６】
これは、誤放電を防止するために、図４（第１実施形態）では階調加重値の最も低いサブフィールド（ＳＦ１）のリセット期間に印加される第１リセットパルス（ＲＰ１）における上りランプパルスのピーク電圧（Ｖｐｅａｋ１）と同一な上りランプパルスを、５番目のサブフィールド（ＳＦ５）のリセット期間に印加した。一方、図５（第２実施形態）では、最も階調加重値の低いサブフィールド（ＳＦ１）のリセット期間に印加される上りランプパルスのピーク電圧（Ｖｐｅａｋ１）より低くなるように、第２リセットパルス（ＲＰ２）における上りランプパルスのピーク電圧（Ｖｐｅａｋ２）を、ターンオフされたサブフィールド（ＳＦ４）の後に連続されてターンオンされたサブフィールド（ＳＦ５）に印加するようにした。これによって、フリッカ（flicker）の誘発を防止することを目的としている。 
【００８７】
図６は、図５の領域ＡとＢをより詳細に比較説明するための図である。 図６に示すように、最も階調加重値の低いサブフィールド（ＳＦ１）のリセット期間に印加される上りランプパルス（Ａ）のピーク電圧（Ｖｐｅａｋ１）は、ターンオフされたサブフィールドの後に連続されてターンオンされたサブフィールド（ＳＦ５）のリセット期間に印加される上りランプパルス（Ｂ）のピーク電圧（Ｖｐｅａｋ２）より高い。
【００８８】
図７は、本発明の第３実施形態に係るプラズマディスプレイ装置の駆動方法のうち、第１サブフィールドをより詳細に説明するための図である。
【００８９】
図７に示すように、図４及び図５で説明した一番目のサブフィールド（ＳＦ１）のリセット区間に上りランプパルスと下りランプパルスを含む第１リセットパルス（ＲＰ１）をスキャン電極に印加する前に、第１プリリセットパルス（ＰＲＰ１）をスキャン電極に印加し、第１プリリセットパルス（ＰＲＰ１）に対応して逆極性の第２プリリセットパルス（ＰＲＰ２）をサステイン電極に印加する。 
【００９０】
ここで、第１プリリセットパルス（ＰＲＰ１）は負極性であり、所定の電圧、例えば、基底電圧（ＧＮＤ）から徐々に下降する下りランプパルスである。 また、第２プリリセットパルス（ＰＲＰ２）は正極性電圧であり、矩形波である。
【００９１】
このように、一番目のサブフィールド（ＳＦ１）のリセット区間の以前に第１及び２プリリセットパルス（ＰＲＰ１、ＰＲＰ２）を印加することで、リセット区間に印加される第１リセットパルスの上りランプパルスのピーク電圧（Ｖｐｅａｋ１）を低下させることができるので、リセット過程におけるブラック輝度を低下させることができる。 
【００９２】
図８は、本発明の第４実施形態に係るプラズマディスプレイ装置の駆動方法を示す図である。
【００９３】
図８に示すように、本発明の第４実施形態に係るプラズマディスプレイ装置の駆動方法は、複数のフレームで画像を表現し、各フレームは発光回数の異なる多数のサブフィールドに分けられている。 例えば、各フレームは発光回数の異なる１０個または１２個のサブフィールドから構成される。 
【００９４】
また、プラズマディスプレイ装置は、全画面を初期化させるためのリセット区間、放電するセルを選択するためのアドレス区間、選択されたセルの放電を維持させるためのサステイン区間、及び放電されたセル内の壁電荷を消去するための消去区間に分けて駆動される。 
【００９５】
ここで、本発明の第４実施形態に係るプラズマディスプレイ装置の駆動方法は、第１フレームの各サブフィールド（ＳＦ１〜ＳＦ１２）のリセット区間には上りランプパルスと下りランプパルスを含む第１リセットパルス（ＲＰ１）が印加される。 
【００９６】
次に、第１フレームに連続された第２フレームがオフ（Off）セルになる場合に、第２フレームのうち、全てのサブフィールド（ＳＦ１〜ＳＦ１２）のリセット区間には下りランプパルスのみを含む第２リセットパルス（ＲＰ２）をスキャン電極に印加する。 
【００９７】
例えば、パネル表示面（図示せず）の一部分に該当する第１フレーム（図示せず）がオン（On）セルとして１２個のサブフィールドに第１リセットパルス（ＲＰ１）が印加され、次に、パネル全体（図示せず）に次のフレームである第２フレームがオフ（Off）セルになると、パネル表示面（図示せず）の一部分に表示されていたウィンドウパターンが残像パターンで表れる。 
【００９８】
この残像を低減させる観点から、オン（On）セルである第１フレームからオフ（Off）セルである第２フレームへの転換時、第２フレームの全てのサブフィールドに印加される下りランプパルスのみを含む第２リセットパルス（ＲＰ２）を印加することが好ましい。 
【００９９】
図９は、図８の領域Ａをより詳細に説明するための図である。図９に示すように、第２フレームのうち、全てのサブフィールドで印加される第２リセットパルスは下りランプパルスのみを含んでいる。 
【０１００】
このような下りランプパルスは、バイアス電圧であるサステイン電圧（Ｖｓ）を維持してから徐々に下降するパルスである。 
【０１０１】
このように、第２フレームに印加される下りランプパルスのみを含む第２リセットパルス（ＲＰ２）は輝度がパルス当たり略０ｃｄ／ｍ２であるため、輝度がパルス当たり略０．１ｃｄ／ｍ２以上である第１リセットパルス（ＲＰ１）に比べてオフ（Off）セルに転換時に生じる残像の水準を低下させることができる効果があり、コントラスト特性を改善することができる。 
【０１０２】
図１０は本発明の第５実施形態に係るプラズマディスプレイ装置の駆動方法を示す図であり、図１１は図８の領域Ｂをより詳細に説明するための図である。
【０１０３】
図１０に示すように、本実施形態では、第１フレームの各サブフィールド（ＳＦ１〜ＳＦ１２）のリセット区間には上りランプパルスと下りランプパルスを含む第１リセットパルス（ＲＰ１）が印加される。
【０１０４】
次に、第１フレームに連続された第２フレームがターンオフされるオフ（Off）セルになる場合に、第２フレームのうち、全てのサブフィールド（ＳＦ１〜ＳＦ１２）のリセット区間には上りランプパルスを少なくとも２個以上含む第２リセットパルス（ＲＰ２）を印加する。 
【０１０５】
ここで、第２フレームのうち、全てのサブフィールドに印加される第２リセットパルス（ＲＰ２）のうち、１つの上りランプパルスが印加される期間（Ａ）は第１フレームのサブフィールドに印加される第１リセットパルス（ＲＰ１）の上りランプパルスが印加される期間（Ｂ）より短いことが好ましい。 
【０１０６】
また、第２フレームのうち、全てのサブフィールドに印加される上りランプパルスの数は、第２フレームの各サブフィールド毎に１個乃至３個であることが好ましい。  
【０１０７】
ここで、前述した第１フレームのサブフィールドに印加される上りランプパルスの輝度がパルス当たり略０．１ｃｄ／ｍ２であるので、オン（On）セルとオフ（Off）セルが交互に転換時、輝度偏差によりフリッカ（flicker）が発生し、コントラスト特性が悪化する虞がある。
【０１０８】
そこで、輝度がパルス当たり略０．０４ｃｄ／ｍ２である上りランプパルスを２個乃至３個を含む第２リセットパルス（ＲＰ２）を印加することが好ましい。これにより、微弱な放電を多数回発生させることによって、一度に大きい放電を発生させることより暗残像の水準を低下させることができ、輝度偏差によるフリッカ（flicker）の発生を防止することができる。 
【０１０９】
図１２は、本発明の第６実施形態に係るプラズマディスプレイ装置の駆動方法を示す図である。 
【０１１０】
図１２の（ａ）は、図８及び図１０に図示された第２フレームの最後のサブフィールドと次のフレームである第３フレームの一番目のサブフィールド部分の従来のリセットパルスを示す図である。 
【０１１１】
図１２の（ａ）に示すように、第２フレームに図８及び図１０に図示された第２リセットパルス（ＲＰ２）を印加した後、第２フレームに連続された第３フレームの一番目のサブフィールドのリセット区間に１つのリセットパルスのみを印加する場合には、完全なオフ（Off）セルから始めなければならないので、オン（On）セルへの転換時、放電転換が困難になる。 
【０１１２】
図１２の（ｂ）は、本発明の第６実施形態に係る最後のサブフィールドと次のフレームの一番目のサブフィールド部分のリセットパルスを示す図である。 前述した図１２（ａ）の場合の問題点を解決するために、図１２の（ｂ）に示すように、第２フレームに連続された第３フレームの一番目のサブフィールドに第３リセットパルス（ＲＰ３）と第４リセットパルス（ＲＰ４）を印加することが好ましい。 
【０１１３】
ここで、第３フレームの一番目のサブフィールドに印加される第３リセットパルス（ＲＰ３）と第４リセットパルス（ＲＰ４）は全て上りランプパルスを含むことが好ましい。 
【０１１４】
また、第３リセットパルス（ＲＰ３）の第１ピーク電圧（Ｖｐｅａｋ１）は、第４リセットパルス（ＲＰ４）の第２ピーク電圧（Ｖｐｅａｋ２）より大きいことが好ましい。  
【０１１５】
また、第１ピーク電圧（Ｖｐｅａｋ１）と第２ピーク電圧（Ｖｐｅａｋ２）との差（Ｖｐｅａｋ１−Ｖｐｅａｋ２）は１００Ｖ以下であることが好ましい。 
【０１１６】
このように、第４リセットパルス（ＲＰ４）より１００Ｖ（Ｖｐｅａｋ１−Ｖｐｅａｋ２）以下に高い第３リセットパルス（ＲＰ３）を第３フレームの一番目のサブフィールドに共に印加することで、完全なオフ（Off）セルからオン（On）セルに転換時、放電の不安定性を解消することができる。
【０１１７】
これとは別に、第３リセットパルス（ＲＰ３）を印加する場合について、図１２の（Ｃ）を参照して説明する。
【０１１８】
図１２の（Ｃ）に示すように、第３フレームの一番目のサブフィールドに印加される第３リセットパルスは矩形波を含む。 
【０１１９】
また、矩形波の電圧値は第４リセットパルス（ＲＰ４）の第２ピーク電圧値（Ｖｐｅａｋ２）と同一である。 また、第３リセットパルス（ＲＰ３）の矩形波が印加される期間（Ｃ）は、第４リセットパルス（ＲＰ４）の上りランプパルスが印加される期間（Ｄ）より短いことが好ましい。 
【０１２０】
このように、第４リセットパルス（ＲＰ４）が印加される期間（Ｄ）より短い第３リセットパルス（ＲＰ３）を第３フレームの一番目のサブフィールドに共に印加することで、完全なオフ（Off）セルからオン（On）セルへの転換時、放電の不安定性を解消することができる。
【０１２１】
図１３は本発明の第７実施形態に係るプラズマディスプレイ装置の駆動方法を示す図であり、図１４は図１３の領域Ａをより詳細に説明するための図である。 
【０１２２】
図１３に示すように、本発明の第７実施形態に係るプラズマディスプレイ装置の駆動方法は複数のフレームで画像を表現して、各フレームは発光回数の異なる多数のサブフィールドに分けられている。 例えば、各フレームは発光回数の異なる１０個または１２個のサブフィールドから構成される。 
【０１２３】
また、プラズマディスプレイ装置は、全画面を初期化させるためのリセット区間、放電するセルを選択するためのアドレス区間、選択されたセルの放電を維持させるためのサステイン区間、及び放電されたセル内の壁電荷を消去するための消去区間に分けられて駆動される。 
【０１２４】
ここで、本発明の第７実施形態に係るプラズマディスプレイ装置の駆動方法は、第１フレームの各サブフィールド（ＳＦ１〜ＳＦ１２）のリセット区間には上りランプパルスと下りランプパルスを含む第１リセットパルス（ＲＰ１）が印加される。
【０１２５】
次に、第１フレームに連続された第２フレームがオフ（Off）セルになる場合に、第２フレームのうち、少なくともいずれか１つのサブフィールド（ＳＦ１２）のリセット区間には上りランプパルスと下りランプパルスを含む第１リセットパルス（ＲＰ１）の代わりに下りランプパルスのみを含む第２リセットパルス（ＲＰ２）をスキャン電極に印加する。
【０１２６】
例えば、第１フレームがオン（On）セルとして１２個のサブフィールドに１２個の第１リセットパルス（ＲＰ１）が印加され、次のフレームである第２フレームがオフ（Off）セルであると、これにより残像パターンが発生する。 
【０１２７】
したがって、残像を低減させるため、オン（On）セルである第１フレームからオフ（Off）セルである第２フレームへの転換時、第２フレームの最後のサブフィールド（ＳＦ１２）から第２リセットパルス（ＲＰ２）を印加し始める。 
【０１２８】
したがって、第２フレームのサブフィールドの数が１２個であると仮定すると、第２フレームのうち、１１個のサブフィールドでは第１リセットパルス（ＲＰ１）が印加され、１個のサブフィールドでは第２リセットパルス（ＲＰ２）が印加される。 
【０１２９】
次に、第２フレームに連続された第３フレームもオフ（Off）セルである場合には第３フレームのうち、１０個のサブフィールドでは第１リセットパルス（ＲＰ１）が印加され、２個のサブフィールドでは第２リセットパルス（ＲＰ２）が印加される。
【０１３０】
このように、持続的にオフ（Off）セルを維持する場合にはフレームを転換する度に以前のフレームより第２リセットパルス（ＲＰ２）の数が増加する。 ここで、第２リセットパルス（ＲＰ２）の数はフレーム転換時毎に１つずつ増加する。 
【０１３１】
図１４に示すように、本発明の第７実施形態に係る第２フレームのうち、少なくともいずれか１つのサブフィールドで第１リセットパルス（ＲＰ１）の代わりに印加される第２リセットパルス（ＲＰ２）は下りランプパルスのみを含んでいる。 
【０１３２】
このような下りランプパルスは、バイアス電圧であるサステイン電圧（Ｖｓ）を維持してから徐々に下降するパルスである。
【０１３３】
このような、下りランプパルスのみを含む第２リセットパルス（ＲＰ２）は輝度差がパルス当たり略０ｃｄ／ｍ２であるため、輝度差がパルス当たり略０．１ｃｄ／ｍ２以上である上りランプパルスを含む第１リセットパルス（ＲＰ１）に比べてオフ（Off）セルに転換時に生じる残像の水準を低減することができる効果がある。
【０１３４】
図１５は、本発明の第７実施形態に係るプラズマディスプレイ装置の駆動方法による駆動波形をより詳細に説明するための図である。
【０１３５】
図１５Ａに示すように、第２フレームの少なくともいずれか１つのサブフィールドで印加される第２リセットパルス（ＲＰ２）は、最も階調加重値の高いサブフィールドの逆順に従って印加される。 
【０１３６】
例えば、１つのフレームのサブフィールドが１２個のサブフィールドからなってあり、オン（On）セルである第１フレームの次のフレームがオフ（Off）セルに転換すると、次のフレームの最後のサブフィールド（ＳＦ１２）のリセット区間に第２リセットパルス（ＲＰ２）が印加される。 
【０１３７】
次に、オフ（Off）セルであるフレームの次のフレームもオフ（Off）セルであれば、最後のサブフィールド（ＳＦ１２）から逆に２つのサブフィールド（ＳＦ１１）のリセット区間に第２リセットパルス（ＲＰ２）が印加される。 したがって、オフ（Off）セルであるフレームが繰り返される数だけサブフィールドの逆順に従って第２リセットパルス（ＲＰ２）の数も増加することになる。
【０１３８】
一方、オフ（Off）セルであるフレームの次のフレームがオン（On）セルに転換されれば、また第１リセットパルス（ＲＰ１）が全てのサブフィールドに印加される。
【０１３９】
ただし、オフ（Off）セルであるフレームが持続的に繰り返されてフレーム転換時毎に第１リセットパルス（ＲＰ１）の数を減少させて、第２リセットパルス（ＲＰ２）の数を増加させる場合にも最終的には１つのフレーム内には第１リセットパルス（ＲＰ１）の数は１つ以上であることが好ましい。 
【０１４０】
例えば、オン（On）セルである第１フレームの以後、第２フレームから第１５フレームまで持続的にオフ（Off）セルである場合、第１１フレームのうち、１個のサブフィールドには第１リセットパルス（ＲＰ１）が印加され、１１個のサブフィールドには第２リセットパルス（ＲＰ２）が印加される。 
【０１４１】
次に、第１１フレームと連続された第１２フレームもオフ（Off）セルである場合に第１２フレームの全てのサブフィールドに第２リセットパルス（ＲＰ２）が印加されるのでなく、第１１フレームのように第１２サブフィールドでも１個のサブフィールドには第１リセットパルス（ＲＰ１）が印加され、１１個のサブフィールドには第２リセットパルス（ＲＰ２）が印加される。 
【０１４２】
このように、最も階調加重値の高いサブフィールドの逆順に従って第２リセットパルス（ＲＰ２）を印加すれば、誤放電の発生を防止すると共に、暗残像の水準を一定の時間に従って早く除去できるようになる。
【０１４３】
これとは異に、第２リセットパルス（ＲＰ２）が印加できるが、図１５Ｂを参照して説明する。
【０１４４】
図１５Ａに示すように、第２フレームの少なくともいずれか１つのサブフィールドで印加される第２リセットパルス（ＲＰ２）はサブフィールドの順序にかかわらず、フレーム転換時毎に１つずつ増加して印加される。 
【０１４５】
例えば、１つのフレームのサブフィールドが１２個のサブフィールドからなってあり、オン（On）セルである第１フレームの次のフレームがオフ（Off）セルに転換すれば、次のフレームの最後のサブフィールド（ＳＦ１２）のリセット区間に第２リセットパルス（ＲＰ２）が印加されることができ、１０番目のサブフィールド（ＳＦ１０）のリセット区間に第２リセットパルス（ＲＰ２）が印加されることができる。 
【０１４６】
次に、オフ（Off）セルであるフレームの次のフレームもオフ（Off）セルであれば、３番目のサブフィールド（ＳＦ３）のリセット区間に第２リセットパルス（ＲＰ２）が印加される。 したがって、オフ（Off）セルであるフレームが繰り返される数だけサブフィールドの逆順に従って第２リセットパルス（ＲＰ２）の数も増加することになる。
【０１４７】
一方、オフ（Off）セルであるフレームの次のフレームがオン（On）セルに転換されれば、また第１リセットパルス（ＲＰ１）が全てのサブフィールドに印加される。
【０１４８】
このように、最も階調加重値の高いサブフィールドの逆順に従って第２リセットパルス（ＲＰ２）を印加すれば、誤放電の発生を防止すると共に、暗残像の水準を一定の時間に従って早く除去できることになる。
【０１４９】
本発明の詳述した目的、特徴、及び長所は、添付した図面と関連した次の詳細な説明を通じてより明らかになるはずである。 以下、添付した図面を参照して本発明に係る好ましい実施形態を詳細に説明する。 明細書の全体に亘って、同一な参照番号は同一な構成要素を示す。 また、本発明と関連した公知機能あるいは構成に対する具体的な説明が本発明の要旨を曖昧にすることができると判断される場合、その詳細な説明は省略する。
【図面の簡単な説明】
【０１５０】
【図１】本発明の一実施形態に係るプラズマディスプレイパネルを示す図である。
【図２】本発明の一実施形態に係るプラズマディスプレイ装置の画像階調を表現する方法を示す図である。
【図３】本発明の一実施形態に係るプラズマディスプレイ装置を示す図である。
【図４】本発明の第１実施形態に係るプラズマディスプレイ装置の駆動方法を示す図である。
【図５】本発明の第２実施形態に係るプラズマディスプレイ装置の駆動方法を示す図である。
【図６】図５の領域ＡとＢをより詳細に比較説明するための図である。
【図７】本発明の第３実施形態に係るプラズマディスプレイ装置の駆動方法のうち、第１サブフィールドをより詳細に説明するための図である。
【図８】本発明の第４実施形態に係るプラズマディスプレイ装置の駆動方法を示す図である。
【図９】図８の領域Ａをより詳細に説明するための図である。
【図１０】本発明の第５実施形態に係るプラズマディスプレイ装置の駆動方法を示す図である。
【図１１】図８の領域Ｂをより詳細に説明するための図である。
【図１２】本発明の第６実施形態に係るプラズマディスプレイ装置の駆動方法を示す図である。
【図１３】本発明の第７実施形態に係るプラズマディスプレイ装置の駆動方法を示す図である。
【図１４】図１３の領域Ａをより詳細に説明するための図である。
【図１５Ａ】本発明の第７実施形態に係るプラズマディスプレイ装置の駆動方法による駆動波形をより詳細に説明するための図である。
【図１５Ｂ】本発明の第７実施形態に係るプラズマディスプレイ装置の駆動方法による駆動波形をより詳細に説明するための図である。
【符号の説明】
【０１５１】
１００    前面パネル
１０１    前面基板
１０２    スキャン電極
１０３    サステイン電極
１０４    上部誘電体層
１１１    後面基板
１１３    アドレス電極
１１５    下部誘電体層
３００    パネル
３０１    タイミングコントローラ
３０２    データ駆動部
３０３    スキャン駆動部
３０４    サステイン駆動部
３０５    サブフィールドマッピング部
【図１１】
2008197293.tif 000003
【図１２】
2008197293.tif 000004
【図１】
2008197293.tif 000005
【図２】
2008197293.tif 000006
【図３】
2008197293.tif 000007
【図４】
2008197293.tif 000008
【図５】
2008197293.tif 000009
【図６】
2008197293.tif 000010
【図７】
2008197293.tif 000011
【図８】
2008197293.tif 000012
【図９】
2008197293.tif 000013
【図１０】
2008197293.tif 000014
【図１３】
2008197293.tif 000015
【図１４】
2008197293.tif 000016
【図１５Ａ】
2008197293.tif 000017
【図１５Ｂ】
2008197293.tif 000018